(57)【特許請求の範囲】
【請求項１】
物体側から順に、負屈折力の第１レンズ群と、正屈折力の第２レンズ群と、負屈折力の第３レンズ群と、正屈折力の第４レンズ群と、第５レンズ群とからなり、
広角端状態から望遠端状態への変倍に際して、前記第１レンズ群と前記第２レンズ群の間隔が縮小し、前記第２レンズ群と前記第３レンズ群の間隔が拡大し、前記第３レンズ群と前記第４レンズ群の間隔が縮小し、前記第４レンズ群と前記第５レンズ群の間隔が拡大し、少なくとも前記第２レンズ群と前記第３レンズ群と前記第４レンズ群が物体方向に移動し、広角端状態での全系の焦点距離をｆｗ、第ｉレンズ群の焦点距離をｆｉ、第ｉレンズ群の広角端状態から望遠端状態までのズーミング移動量をＸｉ、広角端状態における最像面側のレンズ面から像面までの距離をＢｆｗとするとき、
１．８  ＜  （−ｆ３）／ｆｗ  ＜  ２．７
５  ＜  ｜ｆ５｜／ｆｗ  ＜  ３０
−０．２９  ＜  （Ｘ３−Ｘ５）／Ｂｆｗ  ＜  ０．１４
の条件を満足することを特徴とするズームレンズ。
ただし、ズーミング移動量Ｘｉの符号は、第ｉレンズ群の広角端状態における光軸上の位置を原点として、望遠端状態における第ｉレンズ群の位置が原点より像面方向に位置する場合を正とする。
【請求項２】
−０．２９  ＜  （Ｘ３−Ｘ５）／Ｂｆｗ  ≦  ０．０６
の条件を満足することを特徴とする請求項１に記載のズームレンズ。
【請求項３】
望遠端状態における全系のＦナンバーをＦＮＯＴ、望遠端状態における全系の焦点距離をｆｔとするとき、
−１．８  ＜  ｆ１×ＦＮＯＴ／ｆｔ  ＜  −１．０
の条件を満足することを特徴とする請求項１または２に記載のズームレンズ。
【請求項４】
前記第５レンズ群は正レンズと負レンズを共に有し、
前記第５レンズ群中の負レンズの焦点距離をｆ５ｎとするとき、
−４．５  ＜  ｆ５ｎ／ｆｗ  ＜  −１．５
の条件を満足することを特徴とする請求項１から３のいずれか１項に記載のズームレンズ。
【請求項５】
前記第５レンズ群は、少なくとも１枚の非球面レンズを有することを特徴とする請求項１から４のいずれか１項に記載のズームレンズ。
【請求項６】
前記第２レンズ群は、物体側から順に、正屈折力の前群と正屈折力の後群からなり、
無限遠物体から近距離物体へのフォーカシングは前記前群を光軸に沿って移動させることにより行い、
前記前群は少なくとも１枚以上の非球面レンズを有することを特徴とする請求項１から５のいずれか１項に記載のズームレンズ。
【請求項７】
前記第２レンズ群は、物体側から順に、正屈折力の前群と正屈折力の後群からなり、
無限遠物体から近距離物体へのフォーカシングは前記前群を光軸に沿って移動させることにより行い、
前記前群の焦点距離をｆ２a、前記後群の焦点距離をｆ２bとするとき、
１．３  ＜  ｆ２a／ｆ２b  ＜  １．８
の条件を満足することを特徴とする請求項１から６のいずれか１項に記載のズームレンズ。
【請求項８】
前記第２レンズ群は、物体側から順に、正屈折力の前群と正屈折力の後群からなり、
無限遠物体から近距離物体へのフォーカシングは前記前群を光軸に沿って移動させることにより行い、
前記前群は、物体側より順に、両凸形状の正レンズと物体側に凸面を向けた負メニスカスレンズと物体側に凸面を向けた正メニスカスレンズとの接合負レンズで構成されることを特徴とする請求項１から７のいずれか１項に記載のズームレンズ。
【請求項９】
前記第４レンズ群は、物体側より順に、物体側に凸面を向けた負メニスカスレンズと両凸形状の正レンズとの接合正レンズと、両凸形状の正レンズとで構成されることを特徴とする請求項１から８のいずれか１項に記載のズームレンズ。
【請求項１０】
前記ズームレンズは、広角端状態において８０°以上の画角を有し、２．７倍以上のズーム比を有することを特徴とする請求項１から９のいずれか１項に記載のズームレンズ。
【請求項１１】
実質的にパワーを有さないレンズをさらに有する請求項１から１０のいずれか１項に記載のズームレンズ。
【発明の詳細な説明】
【技術分野】
【０００１】
本発明は、一眼レフレックスカメラやデジタルカメラ等に適したズームレンズに関する。
【背景技術】
【０００２】
従来、一眼レフレックスカメラやデジタルカメラ等に用いられる大口径広角ズームレンズとして、負屈折力のレンズ群が先行する４群構成のズームレンズや５群構成のズームレンズが提案されている（例えば、特許文献１、特許文献１参照）。
【特許文献１】特開２００１−１７４７０４号公報
【特許文献２】特開２００１−３１８３１４号公報
【発明の開示】
【発明が解決しようとする課題】
【０００３】
しかしながら、特許文献１に開示されている負屈折力のレンズ群が先行する５群構成のズームレンズでは、口径比が２．８程度の大口径であるものの、最大画角が７5°程度しか確保できないという問題がある。
【０００４】
また、特許文献２に開示されている負屈折力のレンズ群が先行する５群構成のズームレンズでは、最大画角が１００°を超えているものの、変倍比は２．７倍未満と小さく、Ｆナンバーも４程度しか確保できないという問題がある。
【０００５】
本発明は、上記課題に鑑みてなされたものであり、最大画角が８０°以上の広画角と、２．７倍程度の変倍比と、Ｆナンバーが２．８程度の大口径を有し、一眼レフレックスカメラやデジタルカメラ等に適したより高性能なズームレンズを提供することを目的とする。
【課題を解決するための手段】
【０００６】
上記課題を解決するために、本発明は、物体側から順に、負屈折力の第１レンズ群と、正屈折力の第２レンズ群と、負屈折力の第３レンズ群と、正屈折力の第４レンズ群と、第５レンズ群とからなり、
広角端状態から望遠端状態への変倍に際して、前記第１レンズ群と前記第２レンズ群の間隔が縮小し、前記第２レンズ群と前記第３レンズ群の間隔が拡大し、前記第３レンズ群と前記第４レンズ群の間隔が縮小し、前記第４レンズ群と前記第５レンズ群の間隔が拡大し、少なくとも前記第２レンズ群と前記第３レンズ群と前記第４レンズ群が物体方向に移動し、広角端状態での全系の焦点距離をｆｗ、第ｉレンズ群の焦点距離をｆｉ、第ｉレンズ群の広角端状態から望遠端状態までのズーミング移動量をＸｉ、広角端状態における最像面側のレンズ面から像面までの距離をＢｆｗとするとき、
１．８  ＜  （−ｆ３）／ｆｗ  ＜  ２．７
５  ＜  ｜ｆ５｜／ｆｗ  ＜  ３０
−０．２９  ＜  （Ｘ３−Ｘ５）／Ｂｆｗ  ＜  ０．１４
の条件を満足することを特徴とするズームレンズ。
ただし、ズーミング移動量Ｘｉの符号は、第ｉレンズ群の広角端状態における光軸上の位置を原点として、望遠端状態における第ｉレンズ群の位置が原点より像面方向に位置する場合を正とする。
【０００７】
また、本発明にかかるズームレンズは、
−０．２９  ＜  （Ｘ３−Ｘ５）／Ｂｆｗ    ≦  ０．０６
の条件を満足することが好ましい。
【０００８】
また、本発明にかかるズームレンズは、望遠端状態における全系のＦナンバーをＦＮＯＴ、望遠端状態における全系の焦点距離をｆｔとするとき、
−１．８  ＜  ｆ１×ＦＮＯＴ／ｆｔ  ＜  −１．０
の条件を満足することが好ましい。
【０００９】
また、本発明にかかるズームレンズでは、前記第５レンズ群は正レンズと負レンズを共に有し、前記第５レンズ群中の負レンズの焦点距離をｆ５ｎとするとき、
−４．５  ＜  ｆ５ｎ／ｆｗ  ＜  −１．５
の条件を満足することが好ましい。
【００１０】
また、本発明にかかるズームレンズでは、前記第５レンズ群は、少なくとも１枚の非球面レンズを有することが好ましい。
【００１１】
また、本発明にかかるズームレンズでは、前記第２レンズ群は、物体側から順に、正屈折力の前群と正屈折力の後群からなり、無限遠物体から近距離物体へのフォーカシングは前記前群を光軸に沿って移動させることにより行い、前記前群は少なくとも１枚以上の非球面レンズを有することが好ましい。
【００１２】
また、本発明にかかるズームレンズでは、前記第２レンズ群は、物体側から順に、正屈折力の前群と正屈折力の後群からなり、無限遠物体から近距離物体へのフォーカシングは前記前群を光軸に沿って移動させることにより行い、前記前群の焦点距離をｆ２a、前記後群の焦点距離をｆ２bとするとき、
１．３  ＜  ｆ２a／ｆ２b  ＜  １．８
の条件を満足することが好ましい。
【００１３】
また、本発明にかかるズームレンズでは、前記第２レンズ群は、物体側から順に、正屈折力の前群と正屈折力の後群からなり、無限遠物体から近距離物体へのフォーカシングは前記前群を光軸に沿って移動させることにより行い、前記前群は、物体側より順に、両凸形状の正レンズと物体側に凸面を向けた負メニスカスレンズと物体側に凸面を向けた正メニスカスレンズとの接合負レンズで構成されることが好ましい。
【００１４】
また、本発明にかかるズームレンズでは、前記第４レンズ群は、物体側より順に、物体側に凸面を向けた負メニスカスレンズと両凸形状の正レンズとの接合正レンズと、両凸形状の正レンズとで構成されることが好ましい。
【００１５】
また、本発明にかかるズームレンズでは、前記ズームレンズは、広角端状態において８０°以上の画角を有し、２．７倍以上のズーム比を有することが好ましい。
また、本発明にかかるズームレンズでは、実質的にパワーを有さないレンズをさらに有することが好ましい。
【発明の効果】
【００１６】
本発明によれば、最大画角が８０°以上の広画角と、２．７倍程度の変倍比と、Ｆナンバーが２．８程度の大口径を有し、一眼レフレックスカメラやデジタルカメラ等に適したより高性能なズームレンズを提供することができる。
【発明を実施するための最良の形態】
【００１７】
以下、本発明の実施の形態に関し詳説する。
【００１８】
本発明の実施の形態にかかるズームレンズは、物体側から順に、負屈折力の第１レンズ群と、正屈折力の第２レンズ群と、負屈折力の第３レンズ群と、正屈折力の第４レンズ群と、第５レンズ群を有し、広角端状態から望遠端状態への変倍に際して、第１レンズ群と第２レンズ群の間隔が縮小し、第２レンズ群と第３レンズ群の間隔が拡大し、第３レンズ群と第４レンズ群の間隔が縮小し、第４レンズ群と第５レンズ群の間隔が拡大し、広角端状態での全系の焦点距離をｆｗ、第ｉレンズ群の焦点距離をｆｉとするとき、以下の条件式（１）および（２）を満足する構成である。
（１）  １．８  ＜  （−ｆ３）／ｆｗ  ＜  ２．７
（２）  ５  ＜  ｜ｆ５｜／ｆｗ  ＜  ３０
条件式（１）は第３レンズ群の焦点距離を適切な範囲に定めるものである。条件式（１）の上限値を超えると、第３レンズ群の屈折力が減少し、第２レンズ群で発生する球面収差を良好に補正することが困難となる。条件式（１）の下限値を超えると第３レンズ群の屈折力が増大し、特に球面収差とコマ収差の補正が困難になる。なお、本発明の効果を確実にするために、条件式（１）の上限値を２．３にすることが好ましい。また、本発明の効果を確実にするために、条件式（１）の下限値を１．９にすることが好ましい。
【００１９】
条件式（２）は第５レンズ群の焦点距離を適切な範囲に定めるものである。条件式（２）の上限値を超えると、第５レンズ群の屈折力が減少し、歪曲収差や非点収差を良好に補正するのに他のレンズ群への依存度が大きくなり、広角端状態から望遠端状態までの収差変動をバランスよく補正するのが困難になる。条件式（２）の下限値を超えると、第５レンズ群で歪曲収差や非点収差が大きく発生し、周辺光量や所定のＦナンバーを十分確保することが困難になる。なお、本発明の効果を確実にするために、条件式（２）の上限値を１５．０にすることが好ましい。また、本発明の効果を確実にするために、条件式（２）の下限値を６．０にすることが好ましい。
【００２０】
また、本発明の実施の形態にかかるズームレンズは、広角端状態から望遠端状態への変倍に際して、少なくとも第２レンズ群と第３レンズ群と第４レンズ群が物体方向に移動し、第ｉレンズ群の広角端状態から望遠端状態までのズーミング移動量をＸｉ、広角端状態における最像面側のレンズ面から像面までの距離をＢｆｗとするとき、以下の条件式（３）を満足することが望ましい。ただし、ズーミング移動量Ｘｉの符号は、第ｉレンズ群の広角端状態における光軸上の位置を原点として、望遠端状態における第ｉレンズ群の位置が原点より像面方向に位置する場合を正とする。
（３）  −０．２９  ＜  （Ｘ３−Ｘ５）／Ｂｆｗ  ＜  ０．１４
条件式（３）は広角端状態における最像面側のレンズ面から像面までの距離に対する、第３レンズ群と第５レンズ群のズーミングによる全移動量の差を適切な範囲に規定するものである。条件式（３）の上限値を超えると、第５レンズ群の移動量が増大し、第３レンズ群との移動量差が小さくなり、歪曲収差や像面湾曲収差を良好に補正するのが困難になる。条件式（３）の下限値を超えると第３レンズ群の移動量が増大し、コマ収差や球面収差をバランス良く補正するのが困難になる。なお、本発明の効果を確実にするために、条件式（３）の上限値を０．１５にすることが好ましい。また、本発明の効果を確実にするために、条件式（３）の下限値を−０．０７にすることが好ましい。
【００２１】
また、本発明の実施の形態にかかるズームレンズは、望遠端状態における全系のＦナンバーをＦＮＯＴ、望遠端状態における全系の焦点距離をｆｔとするとき、以下の条件式（４）を満足することが望ましい。
（４）  −１．８  ＜  ｆ１×ＦＮＯＴ／ｆｔ  ＜  −１．０
条件式（４）は望遠端における全系のＦナンバーと望遠端状態における焦点距離に対する、第１レンズ群の焦点距離を適切な範囲に定めるものである。条件式（４）の上限値を超えると、第１レンズ群の屈折力が増大し、レンズ外径のコンパクト化には有利であるが、望遠端でのコマ収差や球面収差等をバランスよく補正するのが困難になる。条件式（４）の下限値を超えると、第１レンズ群の屈折力が縮小し、レンズ外径が大型化すると共に、歪曲収差を補正するのが困難になり好ましくない。なお、本発明の効果を確実にするために、条件式（４）の上限値を−１．３にすることが好ましい。
【００２２】
また、本発明の実施の形態にかかるズームレンズは、第５レンズ群は正レンズと負レンズを共に有し、第５レンズ群中の負レンズの焦点距離をｆ５ｎとするとき、以下の条件式（５）を満足することが望ましい。
（５）  −４．５  ＜  ｆ５ｎ／ｆｗ  ＜  −１．５
条件式（５）は第５レンズ群中の負レンズの焦点距離を適切な範囲に定めるものである。条件式（５）の上限値および下限値を超えると、非点収差や歪曲収差等の諸収差をバランスよく補正するのが困難になり好ましくない。なお、本発明の効果を確実にするために、条件式（５）の上限値を−２．０にすることが好ましい。また、本発明の効果を確実にするために、条件式（５）の下限値を−３．０にすることが好ましい。
【００２３】
また、本発明の実施の形態にかかるズームレンズでは、第５レンズ群は、少なくとも１枚の非球面レンズを有することが望ましい。
【００２４】
第５レンズ群に少なくとも１枚以上の非球面レンズを有することで、諸収差をバランスよく補正することができる。特に広角端における像面湾曲収差とコマ収差を良好に補正することができる。
【００２５】
また、本発明の実施例にかかるズームレンズでは、第２レンズ群は、物体側から順に、正屈折力の前群と正屈折力の後群からなり、無限遠物体から近距離物体へのフォーカシングは前群を光軸に沿って移動させることにより行い、前群は少なくとも１枚以上の非球面レンズを有することが望ましい。
【００２６】
第２レンズ群の前群に少なくとも１枚以上の非球面レンズを有することで、無限遠物体から近距離物体へのフォーカシングに伴う球面収差の変動を良好に補正することができる。
【００２７】
また、本発明の実施の形態にかかるズームレンズでは、第２レンズ群は、物体側から順に、正屈折力の前群と正屈折力の後群からなり、無限遠物体から近距離物体へのフォーカシングは前群を光軸に沿って移動させることにより行い、前群の焦点距離をｆ２a、後群の焦点距離をｆ２bとするとき、以下の条件式（６）を満足することが望ましい。
（６）  １．３  ＜  ｆ２a／ｆ２b  ＜  １．８
条件式（６）は第２レンズ群の前群と後群の焦点距離の比を規定するものである。条件式（６）の上限値及び下限値を超えると、広角側と望遠側でのフォーカシング移動量の差が大きくなり、フォーカスに必要な空気間隔が大きくなる。または、歪曲収差や非点収差を補正するのが困難になり好ましくない。
【００２８】
また、本発明の実施の形態にかかるズームレンズでは、第２レンズ群は、物体側から順に、正屈折力の前群と正屈折力の後群からなり、無限遠物体から近距離物体へのフォーカシングは前群を光軸に沿って移動させることにより行い、前記前群は、物体側より順に、両凸形状の正レンズと物体側に凸面を向けた負メニスカスレンズと物体側に凸面を向けた正メニスカスレンズとの接合負レンズで構成されることが望ましい。
【００２９】
これにより、無限遠物体から近距離物体へのフォーカシングに伴う球面収差等の諸収差変動を良好に補正することができる。
【００３０】
また、本発明の実施の形態にかかるズームレンズでは、前記第４レンズ群は、物体側より順に、物体側に凸面を向けた負メニスカスレンズと両凸形状の正レンズとの接合正レンズと、両凸形状の正レンズとで構成されることが望ましい。
【００３１】
これにより、コマ収差をはじめとする諸収差を良好に補正することができる。
【００３２】
また、本発明の実施の形態にかかるズームレンズは、広角端状態において８０°以上の画角を有し、２．７倍以上のズーム比を有することが望ましい。
【００３３】
これにより、広画角と高変倍比の高性能なズームレンズを提供することができる。
【００３４】
「実施例」
以下に、本発明にかかるズームレンズの各実施例について図面を参照しつつ説明する。
【００３５】
（第１実施例）
図１は、本発明の第１実施例にかかるズームレンズのレンズ構成図である。
【００３６】
図１において、本第１実施例のズームレンズは、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、負屈折力の第５レンズ群Ｇ５からなり、広角端状態Ｗから望遠端状態Ｔへの変倍に際して、第１レンズ群Ｇ１は像面Ｉ方向へ移動したのち物体方向へ移動し、第２レンズ群Ｇ２と第３レンズ群Ｇ３と第４レンズ群Ｇ４と第５レンズ群Ｇ５は供に物体方向へ移動するように構成されている。
【００３７】
第１レンズ群Ｇ１は、物体側から順に、物体側に凸面を向けた負メニスカスレンズと、両凹形状の負レンズと、物体側に凸面を向けた正メニスカスレンズから構成されている。
【００３８】
第２レンズ群Ｇ２は、物体側から順に、正屈折力の前群Ｇ２ａと正屈折力の後群Ｇ２ｂから構成され、前群Ｇ２ａは、物体側から順に、両凸形状の正レンズと、物体側に凸面を向けた負メニスカスレンズと物体側に凸面を向けた正メニスカスレンズとの接合負レンズから構成され、後群Ｇ２ｂは、両凸形状の正レンズから構成されている。
【００３９】
第３レンズ群Ｇ３は、物体側から順に、両凹形状の負レンズと、両凹形状の負レンズと物体側に凸面を向けた正メニスカスレンズとの接合負レンズから構成されている。
【００４０】
第４レンズ群Ｇ４は、物体側から順に、物体側に凸面を向けた負メニスカスレンズと両凸形状の正レンズとの接合正レンズと、両凸形状の正レンズから構成されている。
【００４１】
第５レンズ群Ｇ５は、物体側から順に、両凸形状の正レンズと両凹形状の負レンズとの接合負レンズから構成されている。
【００４２】
開口絞りＳは、第３レンズ群Ｇ３の最も物体側に配置され、広角端状態Ｗから望遠端状態Ｔへの変倍に際して、第３レンズ群Ｇ３と一体的に移動する。
【００４３】
また、第２レンズ群Ｇ２の前群Ｇ２ａを光軸に沿って移動させて無限遠物体から近距離物体へのフォーカシングを行う構成である。
【００４４】
以下の表１に、本第１実施例のズームレンズの諸元の値を掲げる。表において、（全体諸元）中のｆは焦点距離、ＦはＦナンバー、 ２ωは画角（単位：度）をそれぞれ表す。（レンズデータ）中の左端の数字は物体側からのレンズ面の順序（面番号）を表し、ｒはレンズ面の曲率半径、ｄはレンズ面間隔、νｄおよびｎｄはｄ線（波長λ＝５８７．６nm）に対するアッベ数および屈折率の値をそれぞれ表す。なお、「ｒ＝∞」は平面を表す。（非球面データ）中には、非球面を次式で表したときの円錐係数Ｋと、ｎ次の非球面係数Ｃｎをそれぞれ示す。なお、数値において「Ｅ−ｎ」は「１０−ｎ」を表す。非球面式は光軸に垂直な方向の高さをｙ、高さｙにおける光軸方向の変位量をＸ（ｙ）、基準球面の曲率半径（近軸曲率半径）をｒ、円錐係数をＫ、ｎ次の非球面係数をＣｎとおいたとき、以下の数式で表され、非球面には面番号の右側に＊印を付している。
Ｘ（ｙ）＝（ｙ２／ｒ）／［１＋［１−Ｋ（ｙ２／ｒ２）］１／２］
＋Ｃ４×ｙ４＋Ｃ６×ｙ６＋Ｃ８×ｙ８＋Ｃ１０×ｙ１０
また、（可変間隔データ）には、広角端状態、中間焦点距離状態、および望遠端状態における焦点距離ｆと各可変間隔とバックフォーカスＢｆをそれぞれ示す。（条件式対応値）には、各条件式の対応値をそれぞれ示す。
【００４５】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これに限られるものではない。また、単位は「ｍｍ」に限定されること無く他の適当な単位を用いることもできる。さらに、これらの記号の説明は、以降の他の実施例においても同様とし説明を省略する。
【００４６】
（表１）
（全体諸元）
ｆ＝２４．７〜６８．０
Ｆ＝２．８６〜２．９２
２ω＝８４．３〜３４．６
（レンズデータ）
R         d       νd        nd
1)    170.000     3.2     49.52     1.74443
2)*    31.810    14                 1.00000
3)   -184.479     2.5     46.62     1.81600
4)    107.399     1                 1.00000
5)    115.000     4.4     23.06     1.86074
6)    799.475    (D1)               1.00000
7)*   105.000    4.9      46.62     1.81600
8)   -173.148    0.1                1.00000
9)     92.952    1.5      25.68     1.78472
10)     30.627    5.2      58.72     1.61272
11)    107.241    7.61               1.00000
12)     51.559    6.5      46.62     1.81600
13)   -479.906   (D2)                1.00000
14>      ∞       1.4                1.00000  開口絞りＳ
15) -1000.000     1.5      46.63     1.81600
16)    88.968     3.2                1.00000
17)   -61.538     1.5      60.08     1.64000
18)    26.305     4.1      23.78     1.84666
19)   129.018    (D3)                1.00000
20)    92.264     1.5      23.78     1.84666
21)    27.376     8.3      81.61     1.49700
22)   -47.983     0.1                1.00000
23)    89.662     4.7      55.38     1.63854
24)   -92.141    (D4)                1.00000
25)*  248.926    4.5       64.14     1.51633
26)   -53.806    1.5       37.16     1.83400
27)   956.802    (Bf)                1.00000
（非球面データ）
面      K         C4           C6           C8           C10
2)   0.0966   4.3893E-07   -2.2828E-10   5.3740E-13   -4.5937E-16
7)  -2.6925  -1.8696E-07    3.1779E-11  -1.4504E-13    3.7257E-16
25)  99.0000  -7.8645E-07   -9.1652E-10   8.4499E-12   -1.0000E-16
（可変間隔データ）
広角端状態    中間焦点距離状態    望遠端状態
f      24.70             49.51           68.00
D1      53.50             11.97            1.00
D2       1.40             15.60           24.00
D3      16.50              7.50            2.50
D4       2.00              8.00           17.00
Bf      43.76             50.27           52.24
（条件式対応値）
（１）  （−ｆ３）／ｆｗ＝2.07
（２）  ｜ｆ５｜／ｆｗ＝8.68
（３）  （X３−X５）／Ｂｆｗ＝−0.02
（４）  ｆ１×ＦＮＯＴ／ｆｔ＝−1.67
（５）  ｆ５ｎ／ｆw＝−2.47
（６）  ｆ２ａ／ｆ２ｂ＝1.74
【００４７】
図２は、本第１実施例のズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。各収差図において、ＦＮＯはＦナンバー、Ｙは像高、Ａは主光線の入射角、ｄはｄ線（波長λ＝５８７．６nm）を示しており、非点収差図において実線はサジタル像面、破線はメリディオナル像面をそれぞれ示している。また、球面収差図において、実線は球面収差を破線はサインコンディションをそれぞれ示している。なお、これらの記号の説明は、以降の他の実施例においても同様とし説明を省略する。
【００４８】
各収差図から明らかなように、本第１実施例のズームレンズは、広角端状態から望遠端状態までの各焦点距離状態において諸収差が良好に補正され、優れた結像性能を有することがわかる。
【００４９】
（第２実施例）
図３は、本発明の第２実施例にかかるズームレンズのレンズ構成図である。
【００５０】
図３において、本第２実施例のズームレンズは、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、負屈折力の第５レンズ群Ｇ５からなり、広角端状態Ｗから望遠端状態Ｔへの変倍に際して、第１レンズ群Ｇ１は像面Ｉ方向へ移動したのち物体方向へ移動し、第２レンズ群Ｇ２と第３レンズ群Ｇ３と第４レンズ群Ｇ４と第５レンズ群Ｇ５は供に物体方向へ移動し、第３レンズ群Ｇ３と第５レンズ群Ｇ５は同じ軌跡で移動するように構成されている。
【００５１】
第１レンズ群Ｇ１は、物体側から順に、物体側に凸面を向けた負メニスカスレンズと、両凹形状の負レンズと両凸形状の正レンズから構成されている。
【００５２】
第２レンズ群Ｇ２は、物体側から順に、正屈折力の前群Ｇ２ａと正屈折力の後群Ｇ２ｂから構成され、前群Ｇ２ａは、物体側から順に、両凸形状の正レンズと、物体側に凸面を向けた負メニスカスレンズと物体側に凸面を向けた正メニスカスレンズとの接合負レンズから構成され、後群Ｇ２ｂは両凸形状の正レンズから構成されている。
【００５３】
第３レンズ群Ｇ３は、物体側から順に、両凹形状の負レンズと、両凹形状の負レンズと物体側に凸面を向けた正メニスカスレンズとの接合負レンズから構成されている。
【００５４】
第４レンズ群Ｇ４は、物体側から順に、物体側に凸面を向けた負メニスカスレンズと両凸形状の正レンズとの接合正レンズと、両凸形状の正レンズから構成されている。
【００５５】
第５レンズ群Ｇ５は、物体側から順に、物体側に凸面を向けた負メニスカスレンズと物体側に凸面を向けた正メニスカスレンズとの接合負レンズから構成されている。
【００５６】
開口絞りＳは、第３レンズ群Ｇ３の最も物体側に配置され、広角端状態Ｗから望遠端状態Ｔへの変倍に際して、第３レンズ群Ｇ３と一体的に移動する。
【００５７】
また、第２レンズ群の前群Ｇ２ａを光軸に沿って移動させて無限遠物体から近距離物体へのフォーカシングを行う構成である。
【００５８】
以下の表２に、本第２実施例にかかるズームレンズの諸元の値を掲げる。
【００５９】
（表２）
（全体諸元）
ｆ＝２４．７〜６８．０
Ｆ＝２．９１〜２．９８
２ω＝８４．３〜３４．６
（レンズデータ）
r         d       νd      nd
1)     137.000     3.2     49.52    1.74443
2)*     29.415    14.9              1.00000
3)    -108.792     2.5     46.62    1.81600
4)     153.824     0.4              1.00000
5)     140.883     4.4     23.06    1.86074
6)    -591.990    (D1)              1.00000
7)*     94.000     5       46.57    1.80400
8)    -173.664     0.1              1.00000
9)     121.888     1.5     25.42    1.80518
10)      35.364     5       58.72    1.61272
11)     130.000     7.61             1.00000
12)      50.454     6       46.62    1.81600
13)    -479.906    (D2)              1.00000
14>       ∞        1.4              1.00000  開口絞りＳ
15)    -350.000     1.5     46.63    1.81600
16)      88.567     2.8              1.00000
17)    -114.345     1.5     60.08    1.64000
18)      27.156     4.1     23.78    1.84666
19)      87.504    (D3)              1.00000
20)     125.944     1.5     23.78    1.84666
21)      28.659     8       81.61    1.49700
22)     -47.427     0.1              1.00000
23)      63.860     4.7     60.08    1.64000
24)    -137.142    (D4)              1.00000
25)     141.807     1.5     46.62    1.81600
26)      41.367     4.5     48.84    1.53172
27)*    179.256    (Bf)              1.00000
（非球面データ）
面       K        C4           C6          C8           C10
2)   0.1304   8.5439E-07  -2.8408E-10   3.7444E-13  -1.9550E-16
7) -21.5539   2.3981E-06  -3.2950E-09   2.0507E-12   3.7257E-16
27)  99.0000  -2.2152E-06  -2.2375E-09  -3.0127E-12  -7.4677E-14
（可変間隔データ）
広角端状態    中間焦点距離状態    望遠端状態
f      24.70            48.23           68.00
D1      53.00            11.97            1.00
D2       1.40            14.50           22.50
D3      17.00             7.30            2.00
D4       2.00            11.70           17.00
Bf      44.87            46.60           54.17
（条件式対応値）
（１）  （−ｆ３）／ｆｗ＝2.05
（２）  ｜ｆ５｜／ｆｗ＝10.00
（３）  （３−X５）／Ｂｆｗ＝0.00
（４）  ｆ１×ＦＮＯＴ／ｆｔ＝−1.68
（５）  ｆ５ｎ／ｆw＝−2.92
（６）  ｆ２ａ／ｆ２ｂ＝1.78
【００６０】
図４は、本第２実施例のズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【００６１】
各収差図から明らかなように、本第２実施例のズームレンズは、広角端状態から望遠端状態までの各焦点距離状態において諸収差が良好に補正され、優れた結像性能を有することがわかる。
【００６２】
（第３実施例）
図５は、本発明の第３実施例にかかるズームレンズのレンズ構成図である。
【００６３】
図５において、本第３実施例のズームレンズは、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、負屈折力の第５レンズ群Ｇ５からなり、広角端状態Ｗから望遠端状態Ｔへの変倍に際して、第１レンズ群Ｇ１は像面Ｉ方向へ移動したのち物体方向へ移動し、第２レンズ群Ｇ２と第４レンズ群Ｇ４は供に物体方向へ移動し、第３レンズ群は少なくとも望遠端状態Ｔで広角端状態Ｗより物体側に移動し、第５レンズ群Ｇ５は固定するように構成されている。
【００６４】
第１レンズ群Ｇ１は、物体側から順に、物体側に凸面を向けた負メニスカスレンズと、両凹形状の負レンズと両凸形状の正レンズとの接合負レンズから構成されている。
【００６５】
第２レンズ群Ｇ２は、物体側から順に、正屈折力の前群Ｇ２ａと正屈折力の後群Ｇ２ｂから構成され、前群Ｇ２ａは、物体側から順に、両凸形状の正レンズと、物体側に凸面を向けた負メニスカスレンズと物体側に凸面を向けた正メニスカスレンズとの接合負レンズから構成され、後群Ｇ２ｂは両凸形状の正レンズから構成されている。
【００６６】
第３レンズ群Ｇ３は、物体側から順に、両凹形状の負レンズと、両凹形状の負レンズと物体側に凸面を向けた正メニスカスレンズとの接合負レンズから構成されている。
【００６７】
第４レンズ群Ｇ４は、物体側から順に、物体側に凸面を向けた負メニスカスレンズと両凸形状の正レンズとの接合正レンズと、両凸形状の正レンズから構成されている。
【００６８】
第５レンズ群Ｇ５は、物体側に凸面を向けた負メニスカスレンズと両凸形状の正レンズとの接合負レンズから構成されている。
【００６９】
開口絞りＳは、第３レンズ群Ｇ３の最も物体側に配置され、広角端状態Ｗから望遠端状態Ｔへの変倍に際して、第３レンズ群Ｇ３と一体的に移動する。
また、第２レンズ群Ｇ２の前群Ｇ２ａを光軸に沿って移動させて無限遠物体から近距離物体へのフォーカシングを行う構成である。
【００７０】
以下の表３に、本第３実施例にかかるズームレンズの諸元の値を掲げる。
【００７１】
（表３）
（全体諸元）
ｆ＝２４．９〜６７．５
Ｆ＝２．８８〜２．９０
２ω＝８３．９〜３４．８
（レンズデータ）
r            d      νd      nd
1)      140.000        3.2    49.52   1.74443
2)*      30.047       15              1.00000
3)      -84.731        2.5    42.72   1.83481
4)      325.562        4.4    23.78   1.84666
5)     -213.912       (D1)            1.00000
6)*      82.950        5.3    49.61   1.77250
7)     -132.311        0.1            1.00000
8)       88.024        1.5    23.78   1.84666
9)       37.940        4.2    60.29   1.62041
10)       76.649        7.61           1.00000
11)       48.762        6      46.63   1.81600
12)    -1085.749       (D2)            1.00000
13>         ∞          1              1.00000  開口絞りＳ
14)     -612.009        1.5    46.63   1.81600
15)       57.413        3.2            1.00000
16)      -86.429        1.5    55.38   1.63854
17)       28.725        4.1    23.78   1.84666
18)      169.688       (D3)            1.00000
19)      266.795        1.5    23.78   1.84666
20)       30.374        8      81.61   1.49700
21)      -39.902        0.1            1.00000
22)       48.363        5      44.89   1.63930
23)     -192.314       (D4)            1.00000
24)     1500.000        1.5    46.63   1.81600
25)       40.184        5.5    64.14   1.51633
26)*    -320.021       (Bf)            1.00000
（非球面データ）
面      K          C4           C6            C8            C10
2)    0.0933    4.4925E-07   1.1361E-10   -1.7411E-13   -3.1082E-18
6)   -2.0849   -7.1175E-07   2.7206E-10   -1.0125E-12    1.1140E-15
26)   99.0000   -3.6028E-08   1.8220E-09   -8.7899E-12    1.0000E-16
（可変間隔データ）
広角端状態    中間焦点距離状態    望遠端状態
f        24.90            49.25           67.50
D1        55.08            11.63            0.71
D2         1.91            15.40           24.78
D3        18.81             8.33            3.20
D4         2.27            12.63           21.40
Bf        44.89            44.88           44.91
（条件式対応値）
（１）  （−ｆ３）／ｆｗ＝1.91
（２）  ｜ｆ５｜／ｆｗ＝7.64
（３）  （X３−X５）／Ｂｆｗ＝−0.08
（４）  ｆ１×ＦＮＯＴ／ｆｔ＝−1.64
（５）  ｆ５ｎ／ｆw＝−2.03
（６）  ｆ２ａ／ｆ２ｂ＝1.54
【００７２】
図６は、本第３実施例のズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【００７３】
各収差図から明らかなように、本第３実施例のズームレンズは、広角端状態から望遠端状態までの各焦点距離状態において諸収差が良好に補正され、優れた結像性能を有することがわかる。
【００７４】
（第４実施例）
図７は、本発明の第４実施例にかかるズームレンズのレンズ構成図である。
【００７５】
図７において、本第４実施例のズームレンズは、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、負屈折力の第５レンズ群Ｇ５からなり、広角端状態Ｗから望遠端状態Ｔへの変倍に際して、第１レンズ群Ｇ１は像面Ｉ方向へ移動したのち物体方向へ移動し、第２レンズ群Ｇ２と第３レンズ群Ｇ３と第４レンズ群Ｇ４と第５レンズ群Ｇ５は供に物体方向へ移動するように構成されている。
【００７６】
第１レンズ群Ｇ１は、物体側から順に、物体側に凸面を向けた負メニスカスレンズと、両凹形状の負レンズと、物体側に凸面を向けた正メニスカスレンズから構成されている。
【００７７】
第２レンズ群Ｇ２は、物体側から順に、正屈折力の前群Ｇ２ａと正屈折力の後群Ｇ２ｂからなり、前群Ｇ２ａは、物体側から順に、両凸形状の正レンズと、物体側に凸面を向けた負メニスカスレンズと物体側に凸面を向けた正メニスカスレンズとの接合負レンズからなり、後群Ｇ２ｂは両凸形状の正レンズから構成されている。
【００７８】
第３レンズ群Ｇ３は、物体側から順に、物体側に凸面を向けた負メニスカスレンズと、両凹形状の負レンズと物体側に凸面を向けた正メニスカスレンズとの接合負レンズから構成されている。
【００７９】
第４レンズ群Ｇ４は、物体側から順に、物体側に凸面を向けた負メニスカスレンズと両凸形状の正レンズとの接合正レンズと、両凸形状の正レンズから構成されている。
【００８０】
第５レンズ群Ｇ５は、物体側から順に、両凸形状の正レンズと物体側に凹面を向けた負メニスカスレンズとの接合負レンズから構成されている。
【００８１】
開口絞りＳは、第３レンズ群Ｇ３の最も物体側に配置され、広角端状態Ｗから望遠端状態Ｔへの変倍に際して、第３レンズ群Ｇ３と一体的に移動する。
【００８２】
また、第２レンズ群Ｇ２の前群Ｇ２ａを光軸に沿って移動させて無限遠物体から近距離物体へのフォーカシングを行う。
【００８３】
以下の表４に、本第４実施例にかかるズームレンズの諸元の値を掲げる。
【００８４】
（表４）
（全体諸元）
ｆ＝２４．７〜６８．０
Ｆ＝２．８９〜２．９９
２ω＝８４．１〜３４．８
（レンズデータ）
r        d      νd      nd
1)      137.497    3.2    49.52    1.74443
2)*      29.531   14               1.00000
3)     -116.714    2.5    54.68    1.72916
4)      156.646    0.2             1.00000
5)      125.122    4.4    23.06    1.86074
6)      767.515    (D1)            1.00000
7)*     112.375    4.9    46.62    1.81600
8)     -173.946    0.1             1.00000
9)       97.849    1.5    25.42    1.80518
10)       31.353    5.3    58.72    1.61272
11)      141.495    8.22            1.00000
12)       51.812    6.3    46.62    1.81600
13)     -612.080    (D2)            1.00000
14>        ∞       1.4             1.00000  開口絞りＳ
15)    1130.184     1.5    46.57    1.80400
16)      74.355     3.5             1.00000
17)     -64.737     1.4    60.08    1.64000
18)      27.654     4.2    23.78    1.84666
19)     149.026     (D3)            1.00000
20)      85.584     1.5    23.78    1.84666
21)      27.851     8.3    81.61    1.49700
22)     -53.846     0.1             1.00000
23)      93.593     4.7    55.38    1.63854
24)     -88.600     (D4)            1.00000
25)*    352.148     5      64.14    1.51633
26)     -47.010     1.5    37.16    1.83400
27)   -1825.413     (Bf)            1.00000
（非球面データ）
面       K          C4           C6            C8         C10
2)     0.1373   8.7930E-07   -3.5115E-10   1.2483E-12   -8.8940E-16
7)    -1.7044  -3.1046E-07   -1.0129E-10   1.9008E-13    3.7257E-16
25)    78.6448  -3.4286E-07   -1.0294E-10   8.0514E-12    0.0000E+00
（可変間隔データ）
広角端状態    中間焦点距離状態    望遠端状態
f       24.70            50.19            67.99
D1       53.48            11.95             1.31
D2        1.40            15.09            22.39
D3       17.64             7.24             2.40
D4        3.13             7.43            17.46
Bf       41.85            53.22            54.86
（条件式対応値）
（１）  （−ｆ３）／ｆｗ＝2.18
（２）  ｜ｆ５｜／ｆｗ＝8.43
（３）  （X３−X５）／Ｂｆｗ＝0.02
（４）  ｆ１×ＦＮＯＴ／ｆｔ＝−1.69
（５）  ｆ５ｎ／ｆw＝−2.34
（６）  ｆ２ａ／ｆ２ｂ＝1.69
【００８５】
図８は、本第４実施例のズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【００８６】
各収差図から明らかなように、本第４実施例のズームレンズは、広角端状態から望遠端状態までの各焦点距離状態において諸収差が良好に補正され、優れた結像性能を有することがわかる。
【００８７】
（第５実施例）
図９は、本発明の第５実施例にかかるズームレンズのレンズ構成図である。
【００８８】
図５において、本第５実施例のズームレンズは、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、負屈折力の第５レンズ群Ｇ５からなり、広角端状態Ｗから望遠端状態Ｔへの変倍に際して、第１レンズ群Ｇ１は像面Ｉ方向へ移動したのち物体方向へ移動し、第２レンズ群Ｇ２と第３レンズ群Ｇ３と第４レンズ群Ｇ４と第５レンズ群Ｇ５は供に物体方向へ移動するように構成されている。
【００８９】
第１レンズ群Ｇ１は、物体側から順に、物体側に凸面を向けた負メニスカスレンズと、両凹形状の負レンズと両凸形状の正レンズとの接合正レンズから構成されている。
【００９０】
第２レンズ群Ｇ２は、物体側から順に、正屈折力の前群Ｇ２ａと正屈折力の後群Ｇ２ｂからなり、前記前群Ｇ２ａは、物体側から順に、両凸形状の正レンズと、物体側に凸面を向けた負メニスカスレンズと物体側に凸面を向けた正メニスカスレンズとの接合負レンズから構成され、後群Ｇ２ｂは両凸形状の正レンズから構成されている。
【００９１】
第３レンズ群Ｇ３は、物体側から順に、物体側に凸面を向けた負メニスカスレンズと、両凹形状の負レンズと物体側に凸面を向けた正メニスカスレンズとの接合負レンズから構成されている。
【００９２】
第４レンズ群Ｇ４は、物体側から順に、物体側に凸面を向けた負メニスカスレンズと両凸形状の正レンズとの接合正レンズと、両凸形状の正レンズから構成されている。
【００９３】
第５レンズ群Ｇ５は、物体側から順に、両凹形状の負レンズと両凸形状の正レンズとの接合負レンズから構成されている。
【００９４】
開口絞りＳは、第３レンズ群Ｇ３の最も物体側に配置され、広角端状態Ｗから望遠端状態Ｔへの変倍に際して、第３レンズ群Ｇ３と一体的に移動する。
【００９５】
また、第２レンズ群Ｇ２の前群Ｇ２ａを光軸に沿って移動させて無限遠物体から近距離物体へのフォーカシングを行う。
【００９６】
以下の表５に、本第５実施例にかかるズームレンズの諸元の値を掲げる。
【００９７】
（表５）
（全体諸元）
ｆ＝２４．７〜６８．０
Ｆ＝２．９０〜２．８８
２ω＝８４．３〜３４．６
（レンズデータ）
r       d      νd       nd
1)     134.236    3.2    49.52    1.74443
2)*     30.667   15.5             1.00000
3)     -89.022    2.5    42.72    1.83481
4)     120.897    4.4    23.78    1.84666
5)    -334.938    (D1)            1.00000
6)*     87.000    5.2    49.61    1.77250
7)    -128.106    0.1             1.00000
8)      86.167    1.35   23.78    1.84666
9)      34.630    4.4    60.29    1.62041
10)      91.131    8.07            1.00000
11)      50.219    6      46.63    1.81600
12)    -541.840    (D2)            1.00000
13>       ∞       1.4             1.00000  開口絞りＳ
14)     700.000    1.5    46.63    1.81600
15)      56.917    3               1.00000
16)     -74.214    1.5    55.38    1.63854
17)      25.617    4.1    23.78    1.84666
18)     124.538    (D3)            1.00000
19)     188.963    1.5    23.78    1.84666
20)      28.037    7.5    81.61    1.49700
21)     -41.708    0.1             1.00000
22)      50.253    4.5    49.81    1.61772
23)    -119.934    (D4)            1.00000
24)*   -158.190    1.5    46.63    1.81600
25)      61.227    5.5    48.84    1.53172
26)    -148.545    (Bf)            1.00000
（非球面データ）
面      K          C4            C6            C8           C10
2)    0.6236   -1.6959E-06   -1.3392E-09    5.3056E-13   -1.0822E-15
6)   -3.2871   -4.2287E-07   -5.0231E-10    9.8876E-13   -9.0677E-16
24)  -10.2083   -2.6973E-07    1.3157E-12    5.7560E-12    0.0000E+00
（可変間隔データ）
広角端状態    中間焦点距離状態    望遠端状態
f        24.70            49.70            67.98
D1        55.70            12.02             1.06
D2         0.73            14.25            23.19
D3        19.67             8.77             3.77
D4         1.40             7.65            14.63
Bf        44.69            49.65            51.29
（条件式対応値）
（１）  （−ｆ３）／ｆｗ＝1.94
（２）  ｜ｆ５｜／ｆｗ＝6.64
（３）  （X３−X５）／Ｂｆｗ＝0.06
（４）  ｆ１×ＦＮＯＴ／ｆｔ＝−1.58
（５）  ｆ５ｎ／ｆw＝−2.18
（６）  ｆ２ａ／ｆ２ｂ＝1.48
【００９８】
図１０は、本第５実施例のズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【００９９】
各収差図から明らかなように、本第５実施例のズームレンズは、広角端状態から望遠端状態までの各焦点距離状態において諸収差が良好に補正され、優れた結像性能を有することがわかる。
【０１００】
（第６実施例）
図１１は、本発明の第６実施例にかかるズームレンズのレンズ構成図である。
【０１０１】
図１１において、本第６実施例のズームレンズは、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、負屈折力の第５レンズ群Ｇ５からなり、広角端状態Ｗから望遠端状態Ｔへの変倍に際して、第１レンズ群Ｇ１は像面Ｉ方向へ移動したのち物体方向へ移動し、第２レンズ群Ｇ２と第３レンズ群Ｇ３と第４レンズ群Ｇ４と第５レンズ群Ｇ５は供に物体方向へ移動するように構成されている。
【０１０２】
第１レンズ群Ｇ１は、物体側から順に、物体側に凸面を向けた負メニスカスレンズと、両凹形状の負レンズと、物体側に凸面を向けた正メニスカスレンズから構成されている。
【０１０３】
第２レンズ群Ｇ２は、物体側から順に、正屈折力の前群Ｇ２ａと正屈折力の後群Ｇ２ｂとから構成され、前群Ｇ２ａは、物体側から順に、両凸形状の正レンズと、物体側に凸面を向けた負メニスカスレンズと物体側に凸面を向けた正メニスカスレンズとの接合負レンズからなり、後群Ｇ２ｂは両凸形状の正レンズから構成されている。
【０１０４】
第３レンズ群Ｇ３は、物体側から順に、物体側に凸面を向けた負メニスカスレンズと、両凹形状の負レンズと物体側に凸面を向けた正メニスカスレンズとの接合負レンズから構成されている。
【０１０５】
第４レンズ群Ｇ４は、物体側から順に、物体側に凸面を向けた負メニスカスレンズと両凸形状の正レンズとの接合正レンズと、両凸形状の正レンズから構成されている。
【０１０６】
第５レンズ群Ｇ５は、物体側から順に、両凸形状の正レンズと像面側に凸面を向けた負メニスカスレンズとの接合正レンズから構成されている。
【０１０７】
開口絞りＳは、第３レンズ群Ｇ３の最も物体側に配置され、広角端状態Ｗから望遠端状態Ｔへの変倍に際して、第３レンズ群Ｇ３と一体的に移動する。
【０１０８】
また、第２レンズ群Ｇ２の前群Ｇ２ａを光軸に沿って移動させて無限遠物体から近距離物体へのフォーカシングを行う。
【０１０９】
以下の表６に、本第６実施例にかかるズームレンズの諸元の値を掲げる。
【０１１０】
(表６)
（全体諸元）
ｆ＝２４．７〜６８．０
Ｆ＝２．９０〜２．９０
２ω＝８４．２〜３４．５
（レンズデータ）
r         d      νd      nd
1)      160.000     3.2    49.52    1.74443
2)*      30.290    14               1.00000
3)     -130.037     2.5    49.52    1.74443
4)      164.681     1               1.00000
5)       97.580     4.4    23.06    1.86074
6)      341.512    (D1)             1.00000
7)*      87.033     5      46.58    1.80400
8)     -186.551     0.1             1.00000
9)      102.837     1.5    25.42    1.80518
10)       34.132     4.6    65.44    1.60300
11)      105.559     7.66            1.00000
12)       59.404     6      46.63    1.81600
13)     -273.500    (D2)             1.00000
14)        ∞        1.4             1.00000  開口絞りＳ
15)      955.183     1.5    46.58    1.80400
16)       98.585     2.8             1.00000
17)      -51.825     1.5    58.55    1.65160
18)       27.500     4.1    23.78    1.84666
19)      143.816    (D3)             1.00000
20)      192.361     1.5    25.42    1.80518
21)       30.439     8      81.61    1.49700
22)      -39.905     0.1             1.00000
23)      127.446     4      81.54    1.49700
24)     -147.322    (D4)             1.00000
25)*     152.377     5      65.44    1.60300
26)      -60.685     1.5    34.97    1.80100
27)     -212.687    (Bf)             1.00000
（非球面データ）
面       K         C4           C6           C8          C10
5)    0.8764  -2.6547E-06  -2.7857E-09   2.1905E-12  -4.3819E-15
7)  -36.0032   6.0550E-06  -1.3687E-08   2.3157E-11  -1.8913E-14
25)   22.4612  -6.4205E-07  -1.4890E-09   5.6484E-12  -5.6817E-15
（可変間隔データ）
広角端状態    中間焦点距離状態    望遠端状態
f     24.70           47.24             68.00
D1     49.00           13.00              1.08
D2      1.56           15.50             27.00
D3     15.47            7.70              1.97
D4      2.70           13.00             20.00
Bf     45.10           48.89             56.31
（条件式対応値）
（１）  （−ｆ３）／ｆｗ＝2.13
（２）  ｜ｆ５｜／ｆｗ＝9.09
（３）  （X３−X５）／Ｂｆｗ＝−0.08
（４）  ｆ１×ＦＮＯＴ／ｆｔ＝−1.74
（５）  ｆ５ｎ／ｆw＝−4.31
（６）  ｆ２ａ／ｆ２ｂ＝1.63
【０１１１】
図１２は、本第６実施例のズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【０１１２】
各収差図から明らかなように、本第６実施例のズームレンズは、広角端状態から望遠端状態までの各焦点距離状態において諸収差が良好に補正され、優れた結像性能を有することがわかる。
【０１１３】
なお、本発明の実施例として、５群構成のレンズ系を示したが、該５群に付加レンズ群を加えただけのレンズ系も本発明の効果を内在した同等のレンズ系であることは言うまでもない。また、各レンズ群内の構成においても、実施例の構成に付加レンズを加えただけのレンズ群も本発明の効果を内在した同等のレンズ群であることは言うまでもない。
【図面の簡単な説明】
【０１１４】
【図１】本発明の第１実施例にかかるズームレンズのレンズ構成図である。
【図２】本発明の第１実施例にかかるズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【図３】本発明の第２実施例にかかるズームレンズのレンズ構成図である。
【図４】本発明の第２実施例にかかるズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【図５】本発明の第３実施例にかかるズームレンズのレンズ構成図である。
【図６】本発明の第３実施例にかかるズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【図７】本発明の第４実施例にかかるズームレンズのレンズ構成図である。
【図８】本発明の第４実施例にかかるズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【図９】本発明の第５実施例にかかるズームレンズのレンズ構成図である。
【図１０】本発明の第５実施例にかかるズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【図１１】本発明の第６実施例にかかるズームレンズのレンズ構成図である。
【図１２】本発明の第６実施例にかかるズームレンズの無限遠合焦状態における諸収差図を示し、（ａ）は広角端状態における諸収差図を、（ｂ）は中間焦点距離状態における諸収差図を、（ｃ）は望遠端状態における諸収差図をそれぞれ示す。
【符号の説明】
【０１１５】
Ｇ１    第１レンズ群
Ｇ２    第２レンズ群
Ｇ３    第３レンズ群
Ｇ４    第４レンズ群
Ｇ５    第５レンズ群
Ｇ２ａ  前群
Ｇ２ｂ  後群
Ｓ      開口絞り
Ｉ      像面
【図１】
0004821237.tif 000002
【図２】
0004821237.tif 000003
【図３】
0004821237.tif 000004
【図４】
0004821237.tif 000005
【図５】
0004821237.tif 000006
【図６】
0004821237.tif 000007
【図７】
0004821237.tif 000008
【図８】
0004821237.tif 000009
【図９】
0004821237.tif 000010
【図１０】
0004821237.tif 000011
【図１１】
0004821237.tif 000012
【図１２】
0004821237.tif 000013